(57)【特許請求の範囲】
【請求項１】
マッサージ機本体に対してリクライニング可能に背もたれ部が取付けられたマッサージ機において、マッサージ機本体の側面下部に箱型部品を設け、箱型部品にマッサージ機構を手元で操作できる操作器を収納するための操作器収納部を設けると共に、箱型部品における操作器収納部の近傍位置で且つマッサージ機本体の後方側の面に、マッサージ機構を作動させる電力を外部電源とマッサージ機本体との間で接続或いは切断操作する電源スイッチ部と、マッサージ機本体と操作器とを接続する操作器コードの出口部と、電源スイッチ部と外部電源とを接続する電源コードの出口部とをそれぞれ配置して成ることを特徴とするマッサージ機。
【請求項２】
電源コードの出口部がマッサージ機本体の最下部に位置していることを特徴とする請求項１記載のマッサージ機。
【発明の詳細な説明】
【０００１】
【発明の属する技術分野】
この発明は、人体表面をマッサージするためのマッサージ機に関するものである。
【０００２】
【従来の技術】
従来より、マッサージ機構を手元で操作できる操作器を収納する操作器収納部と、マッサージ機構を作動させる電力を外部電源とマッサージ機本体との間で接続或いは切断操作する電源スイッチ部と、マッサージ機本体と操作器とを接続する操作器コードと、電源スイッチ部と外部電源とを接続する電源コードとを備えた椅子型のマッサージ機が多数知られている。
【０００３】
その一例を図３に示す。図３において、椅子型のマッサージ機は、座部１２とその前部に出し入れ可能に設けられた足載せ部１１とを備えたマッサージ機本体１と、マッサージ機本体１に対してリクライニング可能に設けられた背もたれ部２とで主体が構成されている。背もたれ部２には、上下動可能な背部マッサージ機構１３が設けられ、足載せ部１１には振動マッサージ機構１４が設けられている。これらマッサージ機構１３，１４は、手元で操作できる操作器３のスイッチ操作により、単独或いは同時施療が選択可能となっている。また、背もたれ部２の後方側に、電源スイッチ部７と、操作器コード４の出口部９と、電源コード８の出口部１０とがそれぞれ配設されている。尚、図中の１６は肘掛け部、１７は足載せ部１１を回動支持するリンク機構、１８はガススプリングである。
【０００４】
【発明が解決しようとする課題】
ところが、従来のマッサージ機にあっては、電源コード８が背もたれ部２の後方側に配設されているため、背もたれ部２をリクライニングさせた際に電源コード８も追従して移動してしまい、電源コード８が引っ張られて、コンセントが抜けたり、或いは断線する危険性があった。また、背もたれ部２の後方側に電源スイッチ部７が配置されているため、マッサージ機に坐ったままの姿勢では電源スイッチ部７に届かなかったり、或いは無理な姿勢をしなくてはならず、操作がし難いものであった。なお、電源スイッチ部７をマッサージ機の前面や側面等に配置した場合は、子供が容易に触れることができて、悪戯される危険があり、また、電源スイッチ部７を隠しスイッチにして、子供が容易に触れることができないようにした場合は、操作が一層し難くなるという問題が生じる。
【０００５】
また、従来では、電源コード８のマッサージ機本体１からの出口部１０が背もたれ部２に配置されているため、電源コード８が高い位置から垂れ下がって、その弛みが大きくなり、足を引っ掛けてしまう等の危険がある。さらに、操作器コード４のマッサージ機本体１からの出口部９も背もたれ部２に配置されているために、操作器３を収納する操作器収納部６と操作器コード４の引出し位置とが離れて位置するようになり、このため操作器３を操作器収納部６に収納した状態で背もたれ部２をリクライニングさせた場合には、操作器コード４に張力がかかり断線する恐れがあった。
【０００６】
本発明は、上記従来例に鑑みてなされたもので、電源スイッチ部を目立たない位置に配置した構造でありながら、電源スイッチ部の操作がし易く、使い勝手を良くすると共に安全性を高めることができ、また、操作器コード及び電源コードが引張られるのを防いで断線防止等をはかることができ、さらに電源スイッチ部等の電気的な操作部の組立て性を向上させることができるマッサージ機を提供することを目的とする。
【０００７】
【課題を解決するための手段】
上記課題を解決するために、本発明は、マッサージ機本体１に対してリクライニング可能に背もたれ部２が取付けられたマッサージ機において、マッサージ機本体１の側面下部に箱型部品５を設け、この箱型部品５にマッサージ機構を手元で操作できる操作器３を収納するための操作器収納部６を設けると共に、箱型部品５における操作器収納部６の近傍位置で且つマッサージ機本体１の後方側の面５ａに、マッサージ機構を作動させる電力を外部電源とマッサージ機本体１との間で接続或いは切断操作する電源スイッチ部７と、マッサージ機本体１と操作器３とを接続する操作器コード４の出口部９と、電源スイッチ部７と外部電源とを接続する電源コード８の出口部１０とをそれぞれ配置して成るから、電源スイッチ部７を目立たない位置に配置できる構造でありながら、マッサージ機に坐った姿勢で電源スイッチ部７の操作が容易となり、しかも、リクライニング可能な背もたれ部２とは別部材である箱型部品５に操作器コード４の出口部９と電源コード８の出口部１０とを配置することで、背もたれ部２に追従して操作器コード４や電源コード８が引張られるのを防止でき、断線防止等を図ることができる。
【０００８】
また請求項２記載の発明は、請求項１記載の効果に加えて、電源コード８の出口部１０がマッサージ機本体１の最下部に位置しているから、箱型部品５の電源コード８の出口部１０から出た電源コード８を弛ませることなく外部電源に接続できるようになる。
【０００９】
【発明の実施の形態】
以下、本発明の実施形態の一例を説明すると、図１に示されている椅子型のマッサージ機の基本構造は、従来（図３）と同様であり、対応する部分には同一の符号を付して詳しい説明は省略する。
マッサージ機本体１の側面下部（座部１２の側面下部）には、縦長で且つ偏平形状をした箱型部品５が設けられている。箱型部品５の外側面には、上記操作器３を収納するための上方に開口した操作器収納部６が設けられており、操作器３を使用しないときに収納することで、操作器３の紛失防止等が図られる。
【００１０】
また、箱型部品５には、図２に示すように、操作器収納部６の近傍位置で且つマッサージ機本体１の後方側の面５ａに、マッサージ機構１３，１４を作動させる電力を外部電源とマッサージ機本体１との間で接続或いは切断操作する電源スイッチ部７と、マッサージ機本体１と操作器３とを接続する操作器コード４の出口部９と、電源スイッチ部７と外部電源とを接続する電源コード８の出口部１０とがそれぞれ配置されている。本実施形態では、箱型部品５の後方側の面５ａの上部に操作器コード４の出口部９、中間部に電源スイッチ部７、下部に電源コード８の出口部１０が位置している。この電源コード８の出口部１０はマッサージ機本体１の最下部に位置する構造を有しているのが望ましい。
【００１１】
しかして、マッサージ機本体１の下部側面に設けた箱型部品５に電源スイッチ部７を配置したから、マッサージ機に坐ったままの姿勢で電源スイッチ部７に手が届き易くなり、楽な姿勢で入り切り操作ができ、電源スイッチ部７の操作性が向上する。しかも、電源スイッチ部７は箱型部品５の後方側の面５ａに配置されているので、外部から目立ち難い隠しスイッチとすることができ、従って、子供が容易に触れることができなくなり、悪戯防止も同時に図ることができる。さらに、電源スイッチ部７を操作器収納部６の近傍に位置させてあるので、マッサージ機を使用したいときには、操作器３を操作器収納部６から取り出す動作と同時に同じ姿勢のままで電源スイッチ部７をオンにすることができ、また、マッサージ機を停止する際には、操作器３を操作器収納部６に収納する動作と同時に同じ姿勢のままで、電源スイッチ部７をオフにすることができるようになり、使い勝手がきわめて良くなると共に、電源スイッチ部７の切り忘れも防止できる。
【００１２】
また、リクライニング可能な背もたれ部２とは別部材である箱型部品５に操作器コード４の出口部９と電源コード８の出口部１０とを配置したから、従来のようにリクライニング可能な背もたれ部２によって操作器コード４や電源コード８が引張られて断線する危険をなくすことができる。
しかも、操作器コード４の出口部９は操作器収納部６の近傍に配置されているので、従来のように操作器コード４の出口部９を背もたれ部２の後方側に配置した場合のように操作器コード４が高い位置から垂れ下がることもなくなり、操作器コード４に足を引っ掛ける等の危険もなくすことができる。また電源コード８の出口部１０も、従来のような背もたれ部２のような高い位置ではなく、操作器収納部６の近傍位置（低い位置）に配置されているので、電源コード８が大きく弛むのを防止できる。特に、電源コード８の出口部１０をマッサージ機本体１の最下部に位置させたことにより、電源コード８の出口部１０から出た電源コード８を弛ませたり、浮かせたりすることとなく外部電源に接続できるようになり、電源コード８に足が引っ掛かる等の危険を一層防止できる。
【００１３】
さらに、１つの箱型部品５に、操作器収納部６と電源スイッチ部７と電源コード８の出口部１０と操作器コード４の出口部９とをそれぞれ配設したことにより、操作器収納部６と電源スイッチ部７との組立てがし易くなり、しかも電源スイッチ部７等の電気的な操作部が１箇所にまとまるので、組立て性が向上する上に、装置全体をすっきりした外観にすることができる。
【００１４】
なお、前記実施形態では、操作器収納部６を箱型部品５の外側面に設けたが、必ずしもこれに限定されるものではなく、例えば箱型部品５の内側面（マッサージ機本体１側の面）に設けることも可能である。
【００１５】
【発明の効果】
以上説明したように、本発明のうち請求項１記載の発明は、マッサージ機本体に対してリクライニング可能に背もたれ部が取付けられたマッサージ機において、マッサージ機本体の側面下部に箱型部品を設け、この箱型部品にマッサージ機構を手元で操作できる操作器を収納するための操作器収納部を設けると共に、箱型部品における操作器収納部の近傍位置で且つマッサージ機本体の後方側の面に、マッサージ機構を作動させる電力を外部電源とマッサージ機本体との間で接続或いは切断操作する電源スイッチ部と、マッサージ機本体と操作器とを接続する操作器コードの出口部と、電源スイッチ部と外部電源とを接続する電源コードの出口部とをそれぞれ配置して成るから、電源スイッチ部を目立たない位置に配置できると共に、マッサージ機に坐った姿勢で電源スイッチ部の操作が容易となり、使い勝手が良くなると共に、子供による悪戯を防いで、安全性を高めることができる。また、リクライニング可能な背もたれ部とは別部材である箱型部品に操作器コードの出口部と電源コードの出口部とを配置することで、背もたれ部に追従して操作器コードや電源コードが引張られるのを防いで断線防止等を図ることができる。さらに、同一の箱型部品に、操作器収納部と電源スイッチ部と電源コードの出口部と操作器コードの出口部とを配設することで、電源スイッチ部等の電気的な操作部が１箇所にまとまり、組立て性を向上させることができる。
【００１６】
また請求項２記載の発明は、請求項１記載の効果に加えて、電源コードの出口部がマッサージ機本体の最下部に位置しているから、箱型部品の電源コードの出口部から出た電源コードを弛ませることなく外部電源に接続可能となる。
【図面の簡単な説明】
【図１】本発明の実施形態の一例を示すマッサージ機の側面図である。
【図２】（ａ）は同上の箱型部品の側面図、（ｂ）は正面図である。
【図３】従来の電気的な操作部の配置状態を説明する側面図である。
【符号の説明】
１  マッサージ機本体
２  背もたれ部
３  操作器
４  操作器コード
５  箱型部品
６  操作器収納部
７  電源スイッチ部
８  電源コード
９  操作器コードの出口部
１０  電源コードの出口部
【図１】
0003567712.tif 000002
【図２】
0003567712.tif 000003
【図３】
0003567712.tif 000004